(57)【要約】【課題】  比較的高い生産能率でも、後加工のために、印刷製品または予め集められた製品積層体を丁寧に送り出すことができる搬送装置を提供することである。【解決手段】  少なくとも１つの印刷製品（６）を引継および引渡しするためのコンベア装置が、印刷製品（６）を相並べて引継領域（Ａ）内に搬送し得る供給搬送装置（２）を有しており、かつ印刷製品（６）を引継領域（Ａ）から、搬送装置（３４）の引渡領域（Ｂ）へと搬送可能な回転する中間搬送装置（３）を有しており、かつこの中間搬送装置が、無限軌道に沿って多数の搬送要素（９）を有しており、この搬送要素によって、それぞれ印刷製品（６）がつかまれ、かつ引継領域（Ａ）から引渡領域（Ｂ）まで搬送可能であり、かつ搬送装置（３４）へと引渡可能である。その際、搬送要素（９）が、少なくとも引継領域（Ａ）と引渡領域（Ｂ）の間では、搬送方向に対して横方向に延びる軸（２７）中心にしてを制御された状態で旋回可能である。【選択図】図１
2009221019.tif 000002
【特許請求の範囲】
【請求項１】
少なくとも１つの印刷製品（６）を引継および引渡しするための搬送装置であって、
該印刷製品（６）を相並べて引継領域（Ａ）内に搬送し得る供給搬送装置（２）を備えており、かつ該印刷製品（６）を該引継領域（Ａ）から、搬送装置（３４）の引渡領域（Ｂ）へと搬送可能な回転する中間搬送装置（３）を備えており、かつ該中間搬送装置が、無限軌道に沿って多数の搬送要素（９）を有しており、該搬送要素によって、それぞれ該印刷製品（６）が捕捉され、かつ該引継領域（Ａ）から該引渡領域（Ｂ）まで搬送可能であり、かつ搬送装置（３４）へと引渡可能である搬送装置において、
該搬送要素（９）が、少なくとも該引継領域（Ａ）と該引渡領域（Ｂ）の間で、搬送方向に対して横方向に延びる軸（２７）を中心にして、制御された状態で旋回可能に構成されていることを特徴とする搬送装置。
【請求項２】
前記供給搬送装置（２）がベルトコンベアであることを特徴とする請求項１に記載の搬送装置。
【請求項３】
前記供給搬送装置（２）が、少なくとも引継領域（Ａ）内では、印刷製品（６）をほぼ接線方向で前記中間搬送装置（３）へと搬送することを特徴とする請求項１または２に記載の搬送装置。
【請求項４】
前記供給搬送装置（２）が、前記印刷製品（６）をほぼ垂直に、かつ好ましくは上から下に搬送することを特徴とする請求項１〜３のいずれか一つに記載の搬送装置。
【請求項５】
前記搬送要素（９）が前記搬送機構（２２）を有しており、前記搬送機構により、印刷製品（６）が前記搬送要素（９）上で搬送可能であるように構成されていることを特徴とする請求項１〜４のいずれか一つに記載の搬送装置。
【請求項６】
前記搬送要素（９）上での前記印刷製品（６）の搬送が、供給搬送装置（２）と中間搬送装置（３）の速度差が補償されるように制御されていることを特徴とする請求項５に記載の搬送装置。
【請求項７】
前記搬送要素（９）の前記搬送機構（２２）に、強固に固定された駆動カーブ（３０、３１）が割り当てられており、前記駆動カーブが、引継領域（Ａ）と引渡領域（Ｂ）の間で前記搬送機構（２２）と係合していることを特徴とする請求項５または６に記載の搬送装置。
【請求項８】
前記駆動カーブ（３０、３１）が複数の部分から構成されており、その際、第１のカーブ区間（３１）が前記引継領域（Ａ）に所属し、かつ搬送方向において後続する第２のカーブ区間（３０）が前記引渡領域（Ｂ）に所属していることを特徴とする請求項５〜７のいずれか一つに記載の搬送装置。
【請求項９】
前記搬送機構（２２）が、前記印刷製品（６）を搬送するために設けられた搬送ローラ（２３）を有することを特徴とする請求項５〜８のいずれか一つに記載の搬送装置。
【請求項１０】
前記搬送要素（９）が、少なくとも１つの、前記印刷製品（６）を保持する側方の捕捉機構（１０）を有することを特徴とする請求項１〜９のいずれか一つに記載の搬送装置。
【請求項１１】
前記捕捉機構（１０）が、挟む位置と開いた位置の間で、搬送方向に対して横方向に旋回可能に構成されていることを特徴とする請求項１０に記載の搬送装置。
【請求項１２】
前記搬送要素（９）上で固く保持された前記印刷製品（６）が搬送方向で移動できるように、前記捕捉機構（１０）が形成されていることを特徴とする請求項１０または１１に記載の搬送装置。
【請求項１３】
前記捕捉機構（１０）が、固定式の制御カーブ（１１）により、バネ弾力に逆らって制御された状態で旋回可能であるように構成されていることを特徴とする請求項１０〜１２のいずれか一つに記載の搬送装置。
【請求項１４】
前記搬送要素（９）を前記軸（２７）の周りで旋回させるため、前記中間搬送装置（３）にカーブ（２９）が所属していること、および
前記搬送要素」（９）が、前記カーブ（２９）と協働するローラ（２８）を有することを特徴とする請求項１〜１３のいずれか一つに記載の搬送装置。
【請求項１５】
前記中間搬送装置（３）が車輪状に形成されていること、および
前記搬送要素（９）が、前記中間搬送装置（３）の円周で、等しい間隔をあけて支持されていることを特徴とする請求項１〜１４のいずれか一つに記載の搬送装置。
【請求項１６】
前記搬送要素（９）が、前記引渡領域（Ｂ）内で制御された状態で旋回可能であり、かつ前記印刷製品（６”’）が、前記搬送装置（３４）への引渡のために前記搬送要素（９）上で駆動可能であるように構成されていることを特徴とする請求項１〜１５のいずれか一つに記載の搬送装置。
【請求項１７】
前記搬送装置（３４）が、前記印刷製品（６）を差し込むことができる多数の収容器、例えばポケット（１４）を有することを特徴とする、
前記引渡領域（Ｂ）内で前記印刷製品（６）が引き渡される前記搬送装置（３４）を備えた請求項１〜１６のいずれか一つに記載の搬送装置。
【請求項１８】
個々の印刷製品または異なる印刷製品から成る積層体を加工するための前記コンベア機構の使用方法。
【発明の詳細な説明】
【技術分野】
【０００１】
本発明は、印刷製品を引継および引渡しするための搬送装置であって、単独の印刷製品を相並べて引継領域に搬送し得る供給搬送装置（Zuforderer）を備えており、ならびに印刷製品を引継領域から引渡領域へと搬送し得る中間搬送装置を備えており、かつこの中間搬送装置が、無限周回軌道に沿って多数の搬送要素を有しており、この搬送要素によって、それぞれ印刷製品が捕捉され、かつ引継領域から引渡領域へと搬送可能であり、かつ搬送装置へと引渡可能である搬送装置に関する。低い生産能率範囲においては、中間搬送装置なしで印刷製品を直接的にポケットまたは溝路などのような収容器内に入れることができる。しかしながら比較的大きな速度の場合、印刷製品が挿入の際にカールし、または跳ね返り、それによりさらなる進行を妨げる可能性がある。厚い製品または製品積層体は、その高い質量および高い速度のために収容器に強くぶつかる。
【背景技術】
【０００２】
この種類の搬送装置は、印刷後加工産業においてずっと以前から知られている。この種類の搬送装置は、例えば特許文献１から知られている。この装置の場合、中間搬送装置が多数の周回する受け器を備えており、この受け器は、供給搬送装置の付近領域内では開いた位置に変位可能であり、かつ印刷製品をさらに先へ搬送するために閉じた位置へと変位可能である。供給搬送装置は、垂れ下がったクランプを備えた搬送器であり、このクランプが、前述の付近領域内で開かれる。引渡領域内では中間搬送装置の受け器が開かれ、これにより印刷製品は、自由落下で差込機のポケット状の収容要素内に落ちる。
【０００３】
特許文献２によって知られている搬送装置の場合、印刷製品が牽引機構によって積層体から引き出され、かつ多数のポケットを有する差込機に送られる。この牽引機構は、ペアで協働するローラを備えており、このローラの間で、印刷製品が捕捉され、引渡領域内でポケットに送り出される。
【０００４】
特許文献３により印刷全紙の引継および引渡しのための装置が知られており、この装置の場合、   が同様に、引渡領域内で開かれる多数の捕捉爪を備えている。中間搬送装置は、車輪として形成されており、かつ円周に多数の受け器を備えており、この受け器が引渡領域内で開かれ、これにより製品は自由落下で差込機のポケット内に落ちる。
【０００５】
前述の搬送装置では、非常に高い生産能率の場合、印刷製品が収容器内に乱暴に送り出されるという難点があり、これにより、印刷製品がカールし、ならびに収容器内において印刷製品の位置決めが遅くてかつ悪くなる恐れがある。
【先行技術文献】
【特許文献】
【０００６】
【特許文献１】欧州特許公開公報第１２３４７９１号明細書
【特許文献２】欧州特許公開公報第１２７０４７６号明細書
【特許文献３】欧州特許公開公報第０３８０９２１号明細書
【発明の概要】
【発明が解決しようとする課題】
【０００７】
本発明の課題は、前述の欠点を回避する前述の種類の搬送装置を提供することである。したがってこの搬送装置は、比較的高い生産能率でも、後加工のために、印刷製品または予め集められた製品積層体を丁寧に送り出すことができるべきである。
【課題を解決するための手段】
【０００８】
この課題は、属概念の搬送装置の場合、引渡領域内で印刷製品の位置合わせを行うための搬送要素が、各々実質的に搬送方向に対して横方向に延びる軸（２７）を中心にして、制御された状態で旋回可能であることによって解決される。個々の要素が旋回可能であることに基づき、本発明による搬送装置によって、引渡領域内で収容器の移動を印刷製品の最良の位置合わせで追いかけ、かつ印刷製品を最良の位置合わせおよび速度で収容器に送り出すことが可能である。本発明による装置により、挿入中に印刷製品を非常に正確に収容器について行かせることが達成され得る。原則的には、収容器の速度ベクトルと供給される印刷製品の速度ベクトルとの間の角度が小さくなればなるほど、および速度差が小さくなればなるほど、印刷製品がよりソフトに差し込まれることになる。
【０００９】
本発明の一変形形態によれば、供給搬送装置はベルトコンベアである。このベルトコンベアは、印刷製品を互いに対し特定の間隔をあけて、または鱗列状の流れで運搬する。この印刷製品はそれぞれ引渡領域内で、さらに先への搬送を引き継ぐ搬送要素に引き渡される。ただし原則的には、ベルトコンベアの代わりに別の搬送装置、例えば捕捉爪を備えた搬送装置を使用することもできる。
【００１０】
本発明の一変形形態によれば、供給搬送装置は、少なくとも引渡領域内では中間搬送装置に対し基本的に接線方向に延びている。引渡領域内の搬送方向は、垂直に上から下へと行われることが好ましい。ただし原則的には、下から上への引渡領域内の搬送方向も、または水平または斜めなどの搬送方向も可能である。
【００１１】
本発明の一変形形態によれば、搬送要素はそれぞれ搬送機構を有しており、この搬送機構により、印刷製品を相応の搬送要素上で搬送することができる。これにより特に供給搬送装置と中間搬送装置の速度差を補償することができる。このため印刷製品を、個々の搬送要素上で減速または加速させることができる。印刷製品が例えば、好ましくは重なっている部分が少ない鱗列状の流れで中間搬送装置に供給される場合、この鱗列状の流れは中間搬送装置上で、個々のコンベア要素上での相応の搬送によって互いに引き離すことができる。他方では、個々の印刷製品の間隔を中間搬送装置上で縮小させることができる。
【００１２】
特に確実で、構造的に比較的単純な搬送機構の駆動は、本発明の一変形形態に基づき、中間搬送装置が少なくとも１つの駆動カーブを有する場合に生じ、この駆動カーブは、引渡領域内で搬送機構とそれぞれ係合し、それにより相応の印刷製品をコンベア機構上で移動させる。
【００１３】
本発明の一変形形態によれば、中間搬送装置が少なくとも１つの第２の駆動カーブを有しており、この第２の駆動カーブは、印刷製品をそれぞれ相応のコンベア機構から離して搬送するため、したがって引き渡すために、引渡領域内で搬送機構とそれぞれ係合する。これにより印刷製品を、例えばポケット内に入れることができ、これは高い作動速度の場合も可能である。搬送機構がそれぞれ少なくとも１つの搬送ローラを有することが好ましく、この搬送ローラに、相応のコンベア要素に接している印刷製品が載る。相応の搬送ローラが一方またはもう一方の方向に回転することにより、印刷製品を加速または減速させることができる。
【００１４】
第１の駆動カーブは引継領域内に、および第２の駆動カーブは引渡領域内に設けられていることが好ましい。これにより印刷製品を両方の領域内で加速または減速させることができる。このため特に高い柔軟性および印刷製品の最良の引渡が生じる。
【００１５】
本発明の一変形形態によれば、搬送要素はそれぞれ少なくとも１つの捕捉機構を有しており、この捕捉機構により、印刷製品をそれぞれ相応の搬送要素の載置面に対して挟むことができる。この捕捉機構により、印刷製品をそれぞれ引継領域内で相応のコンベア要素に対して挟むことができ、したがって確実に搬送することができる。一変形形態に基づき、捕捉機構は旋回可能に搬送要素に配置されている。内側および外側への旋回により、印刷製品を相応に挟むまたは放すことができる。バネ要素を、例えば捕捉機構を内側に旋回させ、かつ印刷製品を挟むように配置することができる。バネ弾力に対抗する制御カーブにより、捕捉機構を再び開くことができ、かつ印刷製品を放すことができる。
【００１６】
本発明の一変形形態によれば、少なくとも１つの捕捉機構は、固く保持された印刷製品がそれぞれ搬送要素の外側では搬送方向に、または搬送方向に逆らって移動可能であるように形成されている。このために捕捉機構は、前述の移動を可能にする例えばローラを備えている。これにより、印刷製品はそれぞれ前述の少なくとも１つの捕捉機構によってコンベア要素で保持されるが、搬送方向に、または搬送方向に逆らって搬送機構上で移動することができる。したがって印刷製品は引継領域内でも引渡領域内でも、上述のように加速または減速することができ、しかしなおかつ確実に案内される。
【００１７】
本発明の一変形形態によれば、中間搬送装置が、搬送要素を旋回させるためにカーブを有すること、および搬送要素が、カーブと少なくとも部分的に係合するカーブローラを有している。これにより引渡領域内での搬送要素の特に確実な旋回が可能になる。カーブを相応に変位させることにより、旋回運動を正確に調整および変更することができる。
【００１８】
本発明の一変形形態によれば、中間搬送装置は車輪として形成されており、搬送要素は車輪の周囲に配置されている。そのためここでは、搬送要素の無限軌道は環状軌道であることが好ましい。ただし原則的には別の軌道、例えば楕円軌道も考えられ得る。
【００１９】
本発明の一変形形態によれば、搬送要素はそれぞれ、印刷製品のための外側の載置面を有しており、この載置面はそれぞれ相応する搬送要素の基本位置では車輪の外被面を構成している。この載置面は、引継領域内では円周面を構成していることが好ましく、この円周面において、印刷製品は接線方向で当接可能であるのが好ましく、したがって引き継ぐことができる。この引継領域に続いてその後、搬送要素の前縁を外側または内側に旋回させることができる。
【００２０】
本発明の一変形形態によれば、印刷製品は搬送装置に引き渡され、この搬送装置は、印刷製品が上から装填され、かつ特に投入されるポケットを有している。このポケットは例えば差込機のポケットであってもよい。これらのポケットは、特許文献１に示されるように、例えばリングとして形成されていてもよい。ただしポケットの代わりに別の収容器、または例えばクランプまたはその類似品が設けられていてもよい。
【００２１】
別の有利な特徴は、従属請求項、以下の説明、および図面から明らかである。
【００２２】
以下に、本発明の例示的実施形態を図面に基づき詳細に説明する。
【図面の簡単な説明】
【００２３】
【図１】本発明による搬送装置の立体的な概略図である。
【図２】図１に基づく搬送装置のさらなる図である。
【図３】搬送要素の立体的な概略図である。
【図４】図３に基づく搬送要素のさらなる図である。
【図５】図６の線Ｖ−Ｖに沿った搬送要素の断面図である。
【図６】搬送要素のさらなる断面図である。
【図７】図２に基づく拡大図である。
【発明を実施するための形態】
【００２４】
図１および図２に示した搬送装置１は供給搬送装置２を備えており、この供給搬送装置により、印刷製品６が引継領域Ａ内で、軸８の周りを回転する中間搬送装置３に引き渡される。中間搬送装置３は、ここでは図示されていない駆動部によって駆動されており、かつ図１および図２では時計回りに回転する。中間搬送装置３に引き渡された印刷製品６は、中間搬送装置３から搬送装置３４に引き渡され、この搬送装置は、図２では、収容された印刷製品６を右から左に運搬する。搬送装置３４内では、印刷製品６がそれぞれポケット１４内に、または別の類似の容器または捕捉爪内で、納められる。見てとれるように印刷製品６は、図２に基づきほぼ３時の位置で引き継がれ、かつほぼ６時の位置で搬送装置３４に送り出される。ただし引継のためにも引渡のためにも、別の位置も可能である。印刷製品６は、供給搬送装置２内で相前後して間隔をあけて搬送される。原則的には印刷製品６は、鱗列状の流れでも供給搬送装置２によって搬送され得るであろう。印刷製品６は例えば、個々の印刷全紙、印刷全紙の積層体、雑誌、新聞、およびその類似品である。供給搬送装置２は、示された例示的実施形態ではベルトコンベアであり、ただしこのベルトコンベアは別の適切な搬送装置、例えば捕捉爪を備えた搬送装置と取り替えることもできる。印刷製品６の搬送方向は、引継領域Ａ内では中間搬送装置３の円周に対して接線方向に延びることが好ましい。
【００２５】
供給搬送装置２は、ここでは図示されていない装置から印刷製品６を引き継ぎ、かつその印刷製品を、図１には一部しか示されていない２つの搬送ベルト４および５の間で運搬する。この搬送ベルト４および５は、駆動され、かつ相応の偏向ローラの周りで案内されている無端ベルトである。印刷製品６の搬送は、図１および図２では基本的に垂直に上から下へと行われている。引継領域Ａ内で、印刷製品６が中間搬送装置３に引き渡される。図１は、既に中間搬送装置３の領域内に入っている印刷製品６’を示している。印刷製品６”は既に中間搬送装置３に引き渡されている。さらなる印刷製品６”は、中間搬送装置３から送り出されており、かつポケット１４の１つの中に差し込まれている。
【００２６】
中間搬送装置３は、２つの互いに対し間隔をあけて配置された星形の板３５および３６（図６）を備えた車輪７を有しており、この車輪は、ここでは図示されていない機械の骨組み内に軸８の端部で支持されている。板３５および３６はそれぞれ、基本的に径方向に外側へ突き出た多数の軸受部３９（図１）を備えており、この軸受部の間にはそれぞれ空隙４０が配置されている。軸受部３９の外側の端部（１３）では、それぞれ搬送要素９が旋回可能に支持されている。この搬送要素９は、図３に基づきそれぞれ前縁４１および後縁４２を備えており、これらの縁は互いに対し平行に、かつ旋回軸２７に対して平行に延びている。図３から分かるように、旋回軸２７は基本的に両方の縁４１および４２のほぼ中間にある。搬送要素９は、車輪７の円周に、互いに対し等しい間隔で割り振られており、かつブラインドの薄板のように旋回することができる。縁４１および４２の間に面３２が延びており、この面は真っ直ぐであり、または車輪７の円周面に相応して外側へ湾曲しており、かつこの面は、それぞれ印刷製品６のための当てがい面または載置面を構成している。
【００２７】
印刷製品６をそれぞれ搬送要素９によって捕捉および搬送し得るように、搬送要素はそれぞれ２つの捕捉機構１０を備えており、この捕捉機構は、図３に基づき、それぞれ旋回軸４３の周りを旋回可能であり、かつ捕捉機構は、搬送要素９の基体２５と接続されている。例えば軸４３に取り付けられたねじりバネであり得るであろう図示されていないバネ要素が、捕捉機構１０を閉じた位置にもって行くように作用する。捕捉要素１０はそれぞれレバー２１を備えており、このレバーには、軸４３から間隔をあけて、２つの互いに対し間隔をあけて配置されたローラ１９が支持されている。さらに捕捉機構１０はそれぞれ、レバー３３に配置されたカーブローラ２０を備えており、このカーブローラがそれぞれ、図１および図２で示された捕捉カーブ１１と協働する。捕捉カーブ１１は、捕捉機構１０を閉じているバネ弾力に対抗する。この制御により、捕捉機構１０をそれぞれ、図３および図６に示した挟む位置と、図１および図２に示した開いた位置の間で旋回させることができる。捕捉機構１０は、引継領域Ａの前では開いた位置にあり、その後、引渡領域Ｂ内では閉じた位置に移行する。図２では、捕捉機構１０は、ほぼ２時の位置では開いた位置にあり、ほぼ４時の位置では挟むまたは閉じた位置にある。図２では、捕捉機構１０’が中間位置にある。捕捉機構１０”は、ここでは既に挟むまたは閉じた位置にあり、この位置では、相応の印刷製品６”が、コンベア要素９に接して保持されている。レバー２１は、印刷製品６または製品積層体４５の厚さの違いを補整するため、弾性材料から製造され得る。
【００２８】
印刷製品６は、引継領域Ａの後は搬送要素９上でそれぞれ、印刷製品が搬送要素上で搬送され得るようにしっかりと保持される。このために搬送要素９は、図３および図５に基づき複数の空隙４４を備えており、この空隙内に、搬送ローラ２３またはさらなる平行なローラ２４が突き出ている。捕捉ローラ１９は、捕捉機構１０が閉じている場合に、それぞれ搬送ローラ２３の外側の面３７またはローラ２４に接している。これにより捕捉ローラ１９と、搬送ローラ２３またはローラ２４との間の印刷製品６を、車輪７の周方向に移動させることができる。搬送ローラ２３は、図６に基づき、両方の板３５および３６に回転可能に支持されており、かつその端部に駆動部２６を備えており、この駆動部は、駆動のためにカーブ３０、３１と協働する。カーブ３０、３１は、１つの部分から、または図１に示したように複数の部分から形成されていてもよい。このカーブ３０および３１は固定式であり、かつ好ましくは変位可能である。車輪７が回転すると、搬送ローラ２３は、設けられた領域内でカーブ３０または３１と係合することにより、搬送ローラの長手軸の周りを回転する。こうして搬送ローラ２３は、カーブ３０および３１および捕捉爪１０と共に搬送機構２２を構成し、この搬送機構により、印刷製品６を所望の領域内で、コンベア要素９上で搬送することができる。この搬送は、まず引継領域Ａ内で、後に引渡領域Ｂ内で行われることが好ましい。搬送機構２２は、搬送ローラ２３および捕捉ローラ１９の代わりに別の適切な要素、例えばベルトまたはその類似品によっても実現され得る。例えば、捕捉機構１０の両方のローラ１９の周りにそれぞれベルトを掛けてもよい。
【００２９】
第１の搬送は、図１に基づき、カーブ３１での駆動部２６の係合によって、図１が示すように行われる。この係合は、図１に基づき、まずほぼ２時の位置で行われ、この位置では、印刷製品６’の前端が搬送要素９上にかかっている。印刷製品６’または６”の搬送は、とりわけ供給搬送装置２と中間搬送装置３の速度差を補償することに役立つ。これに関しては、印刷製品６同士の間隔を縮小または拡大させることができる。加えて、鱗列状の流れの印刷製品６を、このような搬送によって互いから引き離すことができる。カーブ３０、３１と作用関係にある駆動部２６の直径を変更することにより、印刷製品６を搬送要素上で搬送する運搬速度に影響を及ぼすことができる。駆動部２６のより小さな直径は、搬送要素９上でのより大きな運搬速度を生じさせる。駆動部２６は、図６で示したように、それぞれカーブ３０、３１が割り当てられた複数の異なる直径を有することもできる。このため搬送要素９の搬送速度は、引継領域Ａ内および引渡領域Ｂ内で異なっていることができる。
【００３０】
カーブ３０、３１を、駆動によって軸８の周りを回転させ得るであろうリングとして形成することも考えられ得る。これにより搬送要素９の搬送速度を同様に変更することができるであろう。
【００３１】
カーブ３０での駆動部２６の係合により、印刷製品６”’を引渡領域Ｂ内で駆動し、かつ必要に応じて加速させることができ、これにより印刷製品６”’が相応のコンベア要素９から送り出され、かつポケット１４内に挿入される。カーブ３０の係合部または作用領域は、カーブ３１の後ろに、かつ図１および図２に基づき車輪７の下部にある。
【００３２】
搬送要素９のさらなるおよび本質的な機能は、コンベア要素が軸２７の周りで旋回可能なことである。旋回可能な支持のため基体２５は、図４に基づき内側に軸受スタッド３８を備えている。この軸受スタッドから間隔をあけて、基体２５には図３および図４に基づきローラ２８が配置されており、このローラは、図６に基づきカーブ２９と協働する。カーブ２９でのローラ２８の係合により搬送要素９は、引渡領域Ｂ内で、後縁４２が空隙４０内に、および前縁４１が基本的に径方向に外側に移動するように旋回される。この旋回運動によって、相応の印刷製品６が旋回され、かつポケット１４の１つの中に納めるために位置合わせされる。図１では、印刷製品６”が基本位置にあり、かつこの場合、車輪７の外被面に対して基本的に平行に延びている。印刷製品６”’はもう既に旋回され、かつ斜めに下へとポジショニングされている。これに加え印刷製品６”’の速度成分は、搬送装置３４の速度に適合されている。これは、中間搬送装置３から搬送装置３４への丁寧で流れるような印刷製品６”’の移行を可能にする。このような正確なポジショニングにより、比較的重い印刷製品６または製品積層体４５も、ならびに比較的軽い印刷製品６も、丁寧に、そのうえ比較的高い加工速度で、ポケット１４内に納められ得る。
【００３３】
ポケット１４が丁寧に扱われることも本質的なことである。ポケットはそれぞれ、一方の内側１５およびもう一方の内側１６ならびに底１８を備えている。印刷製品６の投入は、上の開口部１７で行われる。投入の際、印刷製品６は基本的に内側１５および底１８に向けられている。装填された印刷製品６は、図２から分かるように、最終的に内側１６に接する。印刷製品６は、図１および図２が示すように、印刷製品の大半の部分が既に相応のポケット１４内に沈められている場合に、搬送要素９から放れる。
【００３４】
印刷製品６が最終的に搬送装置３４に送り出されると、搬送要素９はカーブ２９によって再び基本位置に旋回される。コンベア要素９は図２に基づきほぼ１１時の位置で基本位置に達する。
【００３５】
印刷製品６が、搬送装置３４に送り出される際に両方の捕捉機構１０によってしっかりと保持されていることも、本質的なことである。これにより印刷製品６は、完全に送り出されるまで、相応の搬送要素９でしっかりと保持され、かつ案内される。示した例示的実施形態では、印刷製品６は空のポケット１４内に装填されている。原則的には、このポケット１４または別の収容器は、既に印刷製品を含んでいることができ、そのうえこの印刷製品は開いていることができる。このため投入する印刷製品６を例えば添付物として、別の印刷製品の中に装填することができる。ここでも本質的なことは、丁寧で流れるような、かつ同調した引渡である。これにより、印刷製品６が添付物として正確に装填されることが保証され得る。ポケット１４が別の容器または例えば捕捉爪である場合も、本質的なことは、正確で丁寧な引渡である。
【００３６】
本発明による搬送装置によって、図７ａに示したように個々の印刷製品６を加工することができる。さらに図７ｂに基づき、複数の印刷製品、またはＣＤ、カードなどのような添付物から成る製品積層体４５を加工することができる。その際、製品積層体４５は、本発明による搬送装置の前に据えられたここでは図示されていない装置内で運び集められ、かつ供給搬送装置２の搬送ベルト４、５の間で搬送装置に供給される。
【符号の説明】
【００３７】
１    搬送装置
２    供給搬送装置
３    中間搬送装置
４    搬送ベルト
５    搬送ベルト
６    印刷製品
７    車輪
８    軸
９    搬送要素
１０    捕捉機構
１１    捕捉カーブ
１３    外側の端部
１４    ポケット
１５    一方の内側
１６    もう一方の内側
１７    開口部
１８    底
１９    捕捉ローラ
２０    カーブローラ
２１    レバー
２２    搬送機構
２３    搬送ローラ
２４    さらなる平行なローラ
２５    基体
２６    駆動部
２７    旋回軸
２８    ローラ
２９    カーブ
３０    カーブ
３１    カーブ
３２    面
３３    レバー
３４    搬送装置
３５    星形の板
３６    星形の板
３７    外側の面
３８    軸受スタッド
３９    軸受部
４０    空隙
４１    前縁
４２    後縁
４３    旋回軸
４４    空隙
４５    製品積層体
Ａ    引継領域
Ｂ    引渡領域
【図１】
2009221019.tif 000003
【図２】
2009221019.tif 000004
【図３】
2009221019.tif 000005
【図４】
2009221019.tif 000006
【図５】
2009221019.tif 000007
【図６】
2009221019.tif 000008
【図７】
2009221019.tif 000009